(57)【特許請求の範囲】
【請求項１】
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記複数の土砂流入孔（４）の各々には、土砂流入孔（５）を閉塞する部材（１１）と、当該土砂流入孔（５）を閉塞する部材（１１）を駆動して開閉可能とするモータ又はジャッキを含む駆動手段を設け、前記複数の土砂流入孔（４）のうちのいずれかを選択的に封鎖し開いている土砂流入孔（４）の個数を変化させることにより、前記水底堆積土砂（２）の前記土砂移送管水平部（３）内への流入量を調整すること
を特徴とする水底土砂除去工法。
【請求項２】
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記土砂移送管水平部（３）を長手方向中心線のまわりに回動可能とし、当該回動可能な土砂移送管水平部（３）を回転駆動可能なモータを含む駆動手段を設け、前記土砂移送管水平部（３）を回転させて、前記土砂移送管水平部（３）の管壁に設けられた前記複数の土砂流入孔（４）の鉛直方向位置を変化させることにより、前記水底堆積土砂（２）の前記土砂移送管水平部（３）内への流入量を調整すること
を特徴とする水底土砂除去工法。
【請求項３】
複数の土砂流入孔（４）が管壁上部の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記取水口（７Ａ）は、対象水域の自然の水流（Ｆ）の方向に対向して開く略ホッパー状に形成され、前記取水口（７Ａ）を前記土砂移送管立設部（８）の移送方向中心線のまわりに回動可能とし、取水口（７Ａ）の背後に尾翼（１４）を設けることにより、前記自然水流（Ｆ）の方向である水流方向の変化に追従して前記取水口（７Ａ）の開口方向を常に水流方向に対向させること
を特徴とする水底土砂除去工法。
【請求項４】
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記土砂移送管水平部（３）の他端である土砂排出端（１８）をその長手方向に伸縮可能とし、当該伸縮可能な土砂排出端（１８）を駆動可能な駆動手段を設け、前記土砂排出端（１８）の管壁に複数の土砂水流排出孔（１７）を設け、前記土砂排出端（１８）を伸縮させて、前記土砂排出端（１８）の管壁に設けられた前記複数の土砂水流排出孔（１７）の水平方向位置を変化させることにより、土砂水流排出端（１８）での排出土砂（１９）の排出量を調整すること
を特徴とする水底土砂除去工法。
【請求項５】
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記土砂移送管水平部（３）の他端である土砂排出端（１８）をその周方向に回動可能とし、当該回動可能な土砂排出端（１８）を駆動可能な駆動手段を設け、前記土砂排出端（１８）の管壁に複数の土砂水流排出孔（１７）を設け、前記土砂排出端（１８）を回動させて、前記土砂排出端（１８）の管壁に設けられた前記複数の土砂水流排出孔（１７）の周方向位置を変化させることにより、土砂水流排出端（１８）での排出土砂（１９）の排出量を調整すること
を特徴とする水底土砂除去工法。
【請求項６】
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記複数の土砂流入孔（４）の各々には、土砂流入孔（５）を閉塞する部材（１１）と、当該土砂流入孔（５）を閉塞する部材（１１）を駆動して開閉可能とするモータ又はジャッキを含む駆動手段を設け、前記複数の土砂流入孔（４）のうちのいずれかを選択的に封鎖し開いている土砂流入孔（４）の個数を変化させることにより、前記水底堆積土砂（２）の前記土砂移送管水平部（３）内への流入量を調整すること
を特徴とする水底土砂除去装置。
【請求項７】
複数の土砂流入孔（４）が管壁上部の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記土砂移送管水平部（３）を長手方向中心線のまわりに回動可能とし、当該回動可能な土砂移送管水平部（３）を回転駆動可能なモータを含む駆動手段を設け、前記土砂移送管水平部（３）を回転させて、前記土砂移送管水平部（３）の管壁に設けられた前記複数の土砂流入孔（４）の鉛直方向位置を変化させることにより、前記水底堆積土砂（２）の前記土砂移送管水平部（３）内への流入量を調整すること
を特徴とする水底土砂除去装置。
【請求項８】
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記取水口（７Ａ）は、対象水域の自然の水流（Ｆ）の方向に対向して開く略ホッパー状に形成され、前記取水口（７Ａ）を前記土砂移送管立設部（８）の移送方向中心線のまわりに回動可能とし、取水口（７Ａ）の背後に尾翼（１４）を設けることにより、前記自然水流（Ｆ）の方向である水流方向の変化に追従して前記取水口（７Ａ）の開口方向を常に水流方向に対向させること
を特徴とする水底土砂除去装置。
【請求項９】
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記土砂移送管水平部（３）の他端である土砂排出端（１８）をその長手方向に伸縮可能とし、当該伸縮可能な土砂排出端（１８）を駆動可能な駆動手段を設け、前記土砂排出端（１８）の管壁に複数の土砂水流排出孔（１７）を設け、前記土砂排出端（１８）を伸縮させて、前記土砂排出端（１８）の管壁に設けられた前記複数の土砂水流排出孔（１７）の水平方向位置を変化させることにより、土砂水流排出端（１８）での排出土砂（１９）の排出量を調整すること
を特徴とする水底土砂除去装置。
【請求項１０】
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記土砂移送管水平部（３）の他端である土砂排出端（１８）をその周方向に回動可能とし、当該回動可能な土砂排出端（１８）を駆動可能な駆動手段を設け、前記土砂排出端（１８）の管壁に複数の土砂水流排出孔（１７）を設け、前記土砂排出端（１８）を回動させて、前記土砂排出端（１８）の管壁に設けられた前記複数の土砂水流排出孔（１７）の周方向位置を変化させることにより、土砂水流排出端（１８）での排出土砂（１９）の排出量を調整すること
を特徴とする水底土砂除去装置。
【発明の詳細な説明】
【０００１】
【発明の属する技術分野】
本発明は、水底付近の堆積土砂の除去を行う水底土砂除去工法、及び水底土砂除去装置、特に、海浜のサンドバイパス工法(砂の堆積箇所から侵食箇所へ砂を輸送する工法)や、航路または泊地等における堆積土砂浚渫工法及び装置に適用可能な水底土砂除去工法、及び水底土砂除去装置に関するものである。
【０００２】
【従来の技術】
海底、河底、湖底等の水底付近に土砂が堆積すると、航路や泊地の水深が浅くなり、船舶の利用に支障が生じる。このため、航路や泊地の水深が所定の値よりも浅くなった場合には、水底付近の堆積土砂を掘り取る作業である「浚渫」が行われる。
【０００３】
しかし、浚渫を行っても、土砂は周辺部から水流等によって移動してくるため、浚渫後、時間が経過すると再び水底付近に土砂が堆積することになる。このため、浚渫工事は何度も繰り返される場合が多い。浚渫工事は、大規模な工事であり、多大な工事費が必要となる。したがって、浚渫工事を何度も繰り返すことは、費やした労力と費用が生かされないこととなり、非効率的かつ非経済的である、という問題がある。
【０００４】
また、従来の浚渫工事は、浚渫船を用いて水底の土砂を機械的に一度浚い、浚った土砂を輸送するため、大規模な装置と多大な労力が必要であり、より小型で簡易な工法が望まれていた。しかも、既存の航路や泊地で浚渫工事を行うと、航行する船舶の大きな障害となるため、船舶航行の支障とならない浚渫工法に対する要請も多かった。その上、浚渫工事は、水底の土砂を撹乱させることが多く、浚渫工事箇所の水の汚濁が環境上の問題となる場合もあった。
【０００５】
このような問題を解決するため、土砂流入孔を有する土砂移送管を水底の堆積土砂中に埋設し、水流を利用して堆積土砂を強制排出する工法及び装置が提案されている(例えば、特許文献１参照)。
【０００６】
【特許文献１】
特開２００２−２３５３３７号公報（第１−５頁、図１−８）
【０００７】
【発明が解決しようとする課題】
しかしながら、上記した工法又は装置においては、堆積土砂を強制排出する手法として、土砂移送管の一端側から他端側に向けてポンプ等による動力または自然力(水流)を利用しているが、自然力の有効活用をさらに促進し、また対象水域に応じて水流の動力を土砂の特性又は土砂流入孔の位置あるいは個数等とのバランスにおいて調節する必要がある。
【０００８】
すなわち、土砂移送管内の水流の水量が多すぎると、土砂移送管に設けられた土砂流入孔から土砂が噴出し、この土砂により周辺の汚濁が発生する。逆に、土砂移送管内の水流の水量が不足すると、土砂流入孔からの流入した土砂が排出されずに土砂移送管内に堆積し、土砂移送管が閉塞する、というおそれがある。
【０００９】
このため、土砂移送管内の土砂の移送を効率的に行うには、水流と土砂が混合した土砂水流における土砂の割合(含泥率)を最適な値に保つ必要がある。また、場所に応じて排出する土砂の量を調整する必要がある。また、対象水域において、潮流や河川流等の水流のエネルギーをさらに十分活用する必要がある。さらに、土砂水流を土砂移送管の他端（排出端）のみを用いて排出すると、排出土砂が一個所に集中的に堆積するおそれもある。
【００１０】
本発明は、上記の問題を解決するためになされたものであり、本発明の解決しようとする課題は、自然力を活用し、適正な含泥率となるように土砂流入量を調整する機能を有し、環境に配慮して効率的な土砂の除去排出を行うことができる水底土砂除去工法、及び水底土砂除去装置を提供することにある。
【００１１】
【課題を解決するための手段】
上記課題を解決するため、請求項１に記載した水底土砂除去工法は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記複数の土砂流入孔（４）の各々には、土砂流入孔（５）を閉塞する部材（１１）と、当該土砂流入孔（５）を閉塞する部材（１１）を駆動して開閉可能とするモータ又はジャッキを含む駆動手段を設け、前記複数の土砂流入孔（４）のうちのいずれかを選択的に封鎖し開いている土砂流入孔（４）の個数を変化させることにより、前記水底堆積土砂（２）の前記土砂移送管水平部（３）内への流入量を調整すること
を特徴とする。
【００１２】
また、請求項２に記載した水底土砂除去工法は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記土砂移送管水平部（３）を長手方向中心線のまわりに回動可能とし、当該回動可能な土砂移送管水平部（３）を回転駆動可能なモータを含む駆動手段を設け、前記土砂移送管水平部（３）を回転させて、前記土砂移送管水平部（３）の管壁に設けられた前記複数の土砂流入孔（４）の鉛直方向位置を変化させることにより、前記水底堆積土砂（２）の前記土砂移送管水平部（３）内への流入量を調整すること
を特徴とする。
【００１３】
また、請求項３に記載した水底土砂除去工法は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記取水口（７Ａ）は、対象水域の自然の水流（Ｆ）の方向に対向して開く略ホッパー状に形成され、前記取水口（７Ａ）を前記土砂移送管立設部（８）の移送方向中心線のまわりに回動可能とし、取水口（７Ａ）の背後に尾翼（１４）を設けることにより、前記自然水流（Ｆ）の方向である水流方向の変化に追従して前記取水口（７Ａ）の開口方向を常に水流方向に対向させること
を特徴とする。
【００１４】
また、請求項４に記載した水底土砂除去工法は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記土砂移送管水平部（３）の他端である土砂排出端（１８）をその長手方向に伸縮可能とし、当該伸縮可能な土砂排出端（１８）を駆動可能な駆動手段を設け、前記土砂排出端（１８）の管壁に複数の土砂水流排出孔（１７）を設け、前記土砂排出端（１８）を伸縮させて、前記土砂排出端（１８）の管壁に設けられた前記複数の土砂水流排出孔（１７）の水平方向位置を変化させることにより、土砂水流排出端（１８）での排出土砂（１９）の排出量を調整すること
を特徴とする。
【００１５】
また、請求項５に記載した水底土砂除去工法は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備えた水底土砂除去装置を用い、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去工法であって、
前記土砂移送管水平部（３）の他端である土砂排出端（１８）をその周方向に回動可能とし、当該回動可能な土砂排出端（１８）を駆動可能な駆動手段を設け、前記土砂排出端（１８）の管壁に複数の土砂水流排出孔（１７）を設け、前記土砂排出端（１８）を回動させて、前記土砂排出端（１８）の管壁に設けられた前記複数の土砂水流排出孔（１７）の周方向位置を変化させることにより、土砂水流排出端（１８）での排出土砂（１９）の排出量を調整すること
を特徴とする。
【００１６】
また、請求項６に記載した水底土砂除去装置は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記複数の土砂流入孔（４）の各々には、土砂流入孔（５）を閉塞する部材（１１）と、当該土砂流入孔（５）を閉塞する部材（１１）を駆動して開閉可能とするモータ又はジャッキを含む駆動手段を設け、前記複数の土砂流入孔（４）のうちのいずれかを選択的に封鎖し開いている土砂流入孔（４）の個数を変化させることにより、前記水底堆積土砂（２）の前記土砂移送管水平部（３）内への流入量を調整すること
を特徴とする。
【００１７】
また、請求項７に記載した水底土砂除去装置は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記土砂移送管水平部（３）を長手方向中心線のまわりに回動可能とし、当該回動可能な土砂移送管水平部（３）を回転駆動可能なモータを含む駆動手段を設け、前記土砂移送管水平部（３）を回転させて、前記土砂移送管水平部（３）の管壁に設けられた前記複数の土砂流入孔（４）の鉛直方向位置を変化させることにより、前記水底堆積土砂（２）の前記土砂移送管水平部（３）内への流入量を調整すること
を特徴とする。
【００１８】
また、請求項８に記載した水底土砂除去装置は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記取水口（７Ａ）は、対象水域の自然の水流（Ｆ）の方向に対向して開く略ホッパー状に形成され、前記取水口（７Ａ）を前記土砂移送管立設部（８）の移送方向中心線のまわりに回動可能とし、取水口（７Ａ）の背後に尾翼（１４）を設けることにより、前記自然水流（Ｆ）の方向である水流方向の変化に追従して前記取水口（７Ａ）の開口方向を常に水流方向に対向させること
を特徴とする。
【００１９】
また、請求項９に記載した水底土砂除去装置は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記土砂移送管水平部（３）の他端である土砂排出端（１８）をその長手方向に伸縮可能とし、当該伸縮可能な土砂排出端（１８）を駆動可能な駆動手段を設け、前記土砂排出端（１８）の管壁に複数の土砂水流排出孔（１７）を設け、前記土砂排出端（１８）を伸縮させて、前記土砂排出端（１８）の管壁に設けられた前記複数の土砂水流排出孔（１７）の水平方向位置を変化させることにより、土砂水流排出端（１８）での排出土砂（１９）の排出量を調整すること
を特徴とする。
【００２０】
また、請求項１０に記載した水底土砂除去装置は、
複数の土砂流入孔（４）が管壁の長手方向に並設されるとともに水底堆積土砂（２）中に埋設された土砂移送管水平部（３）と、前記土砂移送管水平部（３）の一端側に接続し水中となる端部位置に取水口（７）が設けられた土砂移送管立設部（８）を有する土砂移送管と、
前記土砂移送管水平部（３）内の水（５）を前記土砂移送管水平部（３）の他端（１８）側に向けて強制移動させて移送用水流（１６）を発生させる吸引ポンプ（６）を含む流体駆動手段を備え、
前記土砂流入孔（４）から前記土砂移送管水平部（３）の内部へ流入した水底堆積土砂（２）を前記移送用水流（１６）によって前記土砂移送管水平部（３）の他端（１８）側に向けて移送し、前記移送された土砂を前記土砂移送管水平部（３）の他端（１８）から排出することにより前記水底堆積土砂（２）の除去を行う水底土砂除去装置であって、
前記土砂移送管水平部（３）の他端である土砂排出端（１８）をその周方向に回動可能とし、当該回動可能な土砂排出端（１８）を駆動可能な駆動手段を設け、前記土砂排出端（１８）の管壁に複数の土砂水流排出孔（１７）を設け、前記土砂排出端（１８）を回動させて、前記土砂排出端（１８）の管壁に設けられた前記複数の土砂水流排出孔（１７）の周方向位置を変化させることにより、土砂水流排出端（１８）での排出土砂（１９）の排出量を調整すること
を特徴とする。
【００２７】
【発明の実施の形態】
以下、本発明の実施形態について、図面を参照しながら説明する。図１は、本発明の一実施形態である水底土砂除去装置の構成を示したものである。図１に示すように、この水底土砂除去装置１は、土砂移送管を備えている。
【００２８】
土砂移送管は、金属、合成樹脂、又はコンクリート等の材料からなる管状部材であり、土砂移送管水平部３と、土砂移送管水平部３の一端に接続しかつ取水口７（後述）に接続する土砂移送管立設部８を有し、海底に堆積した土砂２の内部に設置されている。海底堆積土砂２は、特許請求の範囲における水底堆積土砂に相当している。土砂移送管水平部３の上部には、複数の土砂流入孔４が土砂移送管水平部３の長手方向（図１における左右方向）に沿って、管壁に複数個並設されている。
【００２９】
したがって、図１において上方から下方へ向かう小さな矢印で示すように、海底堆積土砂２は、土砂流入孔４を通って、土砂移送管水平部３の内部へ落下し流入する。
【００３０】
また、土砂移送管水平部３の一端（図１における左端）には、土砂移送管立設部８が接続され、土砂移送管立設部８の他端には取水口７が設けられている。この取水口７の先端は上方に開口して略ホッパー状に形成され、水中部に位置されている。
【００３１】
一方、土砂移送管水平部３の他端（図１における右端）の土砂排出端１８には、吸引ポンプ６が設けられ、取水口７から取水された水（以下、「移送用水」という。）５を他端側に強制移送させるべく吸引している。なお、この吸引ポンプ６のかわりに、他の加圧ポンプ（図示せず）を土砂移送管立設部８側に設け、水を加圧して土砂移送管立設部８から土砂移送管水平部３内へ押し込むような構成であってもよい。吸引ポンプ６、あるいは図示しない他の加圧ポンプは、特許請求の範囲における流体駆動手段に相当している。
【００３２】
このような構成により、土砂流入孔４から土砂移送管水平部３の内部に落下・流入した堆積土砂２は、移送用水５と混合された状態の流れ（土砂水流）１６となって土砂移送管水平部３の内部を流動する。このため、図１において左方から右方へ向かう矢印で示すように、土砂移送管水平部３に流入した土砂２は、土砂移送管水平部３の土砂排出端１８（図１における右端）へ向けて移送される。そして、移送用水５とともに移送された土砂は、土砂移送管水平部３の土砂排出端１８から排出される。
【００３３】
土砂移送管水平部３の土砂排出端１８は、土砂が堆積しても支障のない水域（対象水域外）に設置されている。これにより、土砂移送管水平部３の設置されている対象水域の海底堆積土砂２の除去が行われる。
【００３４】
上記した水底土砂除去装置１による水底土砂除去工法によれば、以下のような利点がある。
【００３５】
（ａ）海底堆積土砂２中の土砂移送管水平部３の内部には、海底堆積土砂２が連続的に流入するため、土砂除去効果が継続的に発揮される。
【００３６】
（ｂ）最初は、土砂移送管水平部３を海底堆積土砂２中に設置する工事が必要であるが、それ以外には特別な労力や装置は不要であり、従来の浚渫に比べて費用が低廉である。
【００３７】
（ｃ）最初に土砂移送管水平部３を海底堆積土砂２中に設置した後は、船舶航行への支障はない。また、海底面上の設置物がないため、底引き網漁業への障害や、船舶のアンカー（錨）による破損のおそれも少ない。
【００３８】
（ｄ）海底面の下方の土砂移送管水平部３の内部を土砂が流動するため、水の汚濁の発生は最小限に抑えられる。
【００３９】
（ｅ）図１に示す状態においては、土砂移送管水平部３の内部圧力は、土砂移送管水平部３の一端に連通する取水口７が水中で開放されていることから、土砂流入孔４から水面１５までの水圧(Ａ−Ｂ間の水圧)以上の水圧はかからない。一方、土砂流入孔４の外側の圧力は、Ａ―Ｃ間の水圧にＢ―Ｃ間の土圧を加えたものである。Ｂ―Ｃ間の土圧はＢ―Ｃ間の水圧よりも大きいため、土砂移送管水平部３内の土砂水流が土砂流入孔４から管外に流出（逆流）して汚濁を発生させるおそれはない。
【００４０】
上記した水底土砂除去装置１には、その作用・効果をさらに高めるための機構が設けられている。図２は、上記した水底土砂除去装置１に設けられる土砂流入量調整機構の一例の構成を示す図である。
【００４１】
図２に示す例においては、土砂流入量調整機構として、弁９が用いられている。すなわち、土砂移送管水平部３の外周面側に土砂流入孔４に通じる弁９を設け、この弁９の開度を調節することにより、土砂移送管水平部３内へ流入する土砂の流入量を調整するものである。弁９を有する土砂流入量調整機構は、特許請求の範囲における土砂流入量調整手段に相当している。
【００４２】
弁９の操作は、弁９にアクチュエータ（図示せず）を設けて電磁弁としリード線により制御信号を送って遠隔制御することが可能である。また、弁９にアクチュエータ（図示せず）と超音波受信機等を設け、水中を伝導する超音波により制御信号を送って無線で遠隔操作することも可能である。また、土砂移送管水平部３の埋設深度が浅い場合には、弁９にレバー、歯車等の機械的な機構を取り付け、手動で操作可能なように構成することもできる。
【００４３】
このように、土砂流入孔４に土砂流入量調整手段を設けることにより、上記した（ａ）〜（ｅ）の利点に加え、以下のような利点がある。
【００４４】
（ｆ）取水口７を通じて流入する水の量に対して、土砂流入孔４を通じて流入する土砂２の割合(含泥率)を調整することができるので、土砂の逆流の発生に起因する汚濁や、土砂移送管立設部８内の水量不足による土砂移送管水平部３内での土砂の堆積に起因する閉塞（目詰まり）等の防止が可能となる。
【００４５】
また、土砂流入量調整手段としては、図３に示すような他の土砂流入量調整機構も可能である。この土砂流入量調整機構は、金網１０と、重錘１１と、ワイヤ１２を有している。まず、土砂流入孔４の外周囲に金網１０を設けることにより、ゴミが土砂流入孔４に侵入することが防止される。また、金網１０の内部に、土砂流入孔４を塞ぐ外径を有する重錘１１を設ける。そして、金網１０の網の目を通して金網１０内に挿通されたワイヤ１２により重錘１１を昇降可能な構成とする。また、ワイヤ１２にモータやジャッキ（図示せず）等の駆動手段（図示せず）を接続して駆動可能な構成としておく。このような構成により、土砂流入孔４と重錘１１との間の隙間量を調整し、土砂の流入量を調整することができる。なお、ワイヤ１２のかわりに、棒状部材や鎖状部材を用いてもよい。
【００４６】
また、複数の土砂流入孔４を重錘１１によって選択的に封鎖し、開いている(又は閉じている)土砂流入孔４の個数を調整することができる。これにより、土砂の流入量の調整を行うようにしてもよい。
【００４７】
あるいは、土砂移送管水平部３を長手方向中心線のまわりに回動可能な構成としておき、モータ（図示せず）等の駆動手段（図示せず）を接続して回転駆動可能な構成としておく。このような構成により、土砂移送管水平部３の外壁に設けられた土砂流入孔４の鉛直方向位置を、土砂移送管水平部３の頂部、側部、底部というように変化させることができ、これにより、土砂流入孔４から流入する土砂量を調整することも可能である。
【００４８】
また、上記した水底土砂除去装置１は、対象水域に水流等の自然力が存在する場合には、それを利用することができる。図４は、図１の水底土砂除去装置における取水口の一例の構成を示す図である。
【００４９】
すなわち、図４に示すように、取水口７の先端には水流Ｆに対向して開く略ホッパー状の取水口７Ａが設けられている。このように構成することにより、水流Ｆを効率的に土砂移送管立設部８内へ取水することができ、水流Ｆの自然エネルギーを土砂移送動力の支援力として活用することができる。
【００５０】
この場合、土砂移送管立設部８に逆止弁１３を設けることにより、自然条件の変化に起因する水流の強弱または方向の変化や水位の変化によって土砂移送管水平部３内の水流が逆流することを防止することができる。
【００５１】
上記した自然力としては、水流のほか、波浪、潮汐作用、潮流、河川流などが利用可能である。
【００５２】
次に、図５に示す例は、水流Ｆの流れる方向の変化を考慮し、取水口７Ａの下端７１が、土砂移送管立設部８の上端８１に回転可能な状態で嵌合するようにして、取水口７Ａを回転方向Ｒに回転自在に土砂移送管立設部８に連結し、取水口７Ａの背部(図５における右側)に尾翼１４を設けたものである。これにより、水流Ｆの方向の変化に追従する水流追従機構が構成されている。この水流追従機構は、特許請求の範囲における水流追従手段に相当している。
【００５３】
上記のような構成とすることにより、取水口７Ａの開口方向は、常に水流Ｆに対向する（平行な）方向に維持され、水流Ｆの変化に追随して常に自然エネルギーを土砂移送動力の支援力として活用することができる。
【００５４】
次に、図６に示す例は、土砂移送管水平部３の土砂排出端１８の排出端からのみ土砂水流１６を排出すると、排出土砂１９が一個所に集中的に堆積する可能性があるため、場所に応じて排出する土砂１９の量を調整可能としたものである。
【００５５】
すなわち、図６に示すように、土砂移送管水平部３の土砂排出端１８の管壁の側方及び下方には、複数の土砂水流排出孔１７が土砂移送管水平部３の長手方向及び周方向に分散して設けられている。このように、複数の土砂水流排出孔１７を設けることにより、排出される排出土砂１９は土砂排出端１８のみからではなく、土砂移送管水平部３の長手方向に及び半径方向の広い範囲にわたって分散して排出することができるので、排出土砂１９が一個所に集中して堆積されることことを防止することができ、堆積土砂２０を広い領域に分散することができる。
【００５６】
図示してはいないが、個々の土砂水流排出孔１７に、土砂水流の排出量を調整する機構（土砂水流排出量調整機構）を設けることにより、排出土砂１９の排出量の調整、排出領域(分布)の調整が可能となる。
【００５７】
具体的な土砂水流排出量調整機構の例としては、土砂水流排出孔１７に、図２で説明したような弁を設け、その開度を電磁的又は手動等で変化させる機構が挙げられる。これにより、対象水域の状況に応じて弁の開度を調整することができる。あるいは、複数の土砂水流排出孔１７にそれぞれ弁を設けて個々に制御し、弁の開放個数を調整すれようにしてもよい。
【００５８】
また、土砂排出端１８を、その長手方向（図６における左右方向）に伸縮可能な構成とし、土砂水流排出孔１７の水平方向位置を変化させることも可能である。あるいは、土砂排出端１８の部分を土砂移送管水平部３とは別の部材として土砂移送管立設部８の終端に取り付け、その周方向に回動調節可能な構成にし、土砂水流排出孔１７の周方向における噴出方向を変化させるようにすることも可能である。
【００５９】
なお、本発明は、上記した実施形態や各例に限定されるものではない。上記した実施形態や例は、例示であり、本発明の特許請求の範囲に記載された技術的思想と実質的に同一な構成を有し、同様な作用効果を奏するものは、いかなるものであっても本発明の技術的範囲に包含される。
【００６０】
例えば、上記各実施形態においては、海底の堆積土砂中に設置される水底土砂除去装置を例に挙げて説明したが、本発明はこれには限定されず、海底以外の他の箇所、例えば、湖、池、沼等の内水部の水底の堆積土砂中に配置された場合でも、堆積土砂を移送して除去することが可能である。
【００６１】
【発明の効果】
以上説明したように、本発明にによれば、複数の土砂流入孔（４）が管壁の長手方向に並設されるとともに水底堆積土砂（２）中に埋設された土砂移送管水平部（３）と、土砂移送管水平部（３）の一端側に接続し水中となる端部位置に取水口（７）が設けられた土砂移送管立設部（８）を有する土砂移送管と、土砂移送管水平部（３）内の水（５）を土砂移送管水平部（３）の他端（１８）側に向けて強制移動させて移送用水流（１６）を発生させる吸引ポンプ（６）を含む流体駆動手段を備え、土砂流入孔（４）から土砂移送管水平部（３）の内部へ流入した水底堆積土砂（２）を移送用水流（１６）によって土砂移送管水平部（３）の他端（１８）側に向けて移送し、移送された土砂を土砂移送管水平部（３）の他端（１８）から排出することにより水底堆積土砂（２）の除去を行う水底土砂除去工法、又は水底土砂除去装置であって、複数の土砂流入孔（４）の各々には、土砂流入孔（５）を閉塞する部材（１１）と、当該土砂流入孔（５）を閉塞する部材（１１）を駆動して開閉可能とするモータ又はジャッキを含む駆動手段を設け、複数の土砂流入孔（４）のうちのいずれかを選択的に封鎖し開いている土砂流入孔（４）の個数を変化させることにより、水底堆積土砂（２）の前記土砂移送管水平部（３）内への流入量を調整し、又は、土砂移送管水平部（３）を長手方向中心線のまわりに回動可能とし、当該回動可能な土砂移送管水平部（３）を回転駆動可能なモータを含む駆動手段を設け、土砂移送管水平部（３）を回転させて、土砂移送管水平部（３）の管壁に設けられた複数の土砂流入孔（４）の鉛直方向位置を変化させることにより、水底堆積土砂（２）の土砂移送管水平部（３）内への流入量を調整し、又は、取水口（７Ａ）は、対象水域の自然の水流（Ｆ）の方向に対向して開く略ホッパー状に形成され、取水口（７Ａ）を土砂移送管立設部（８）の移送方向中心線のまわりに回動可能とし、取水口（７Ａ）の背後に尾翼（１４）を設けることにより、自然水流（Ｆ）の方向である水流方向の変化に追従して取水口（７Ａ）の開口方向を常に水流方向に対向させるようにし、又は、土砂移送管水平部（３）の他端である土砂排出端（１８）をその長手方向に伸縮可能とし、当該伸縮可能な土砂排出端（１８）を駆動可能な駆動手段を設け、土砂排出端（１８）の管壁に複数の土砂水流排出孔（１７）を設け、土砂排出端（１８）を伸縮させて、土砂排出端（１８）の管壁に設けられた複数の土砂水流排出孔（１７）の水平方向位置を変化させることにより、土砂水流排出端（１８）での排出土砂（１９）の排出量を調整し、若しくは、土砂移送管水平部（３）の他端である土砂排出端（１８）をその周方向に回動可能とし、当該回動可能な土砂排出端（１８）を駆動可能な駆動手段を設け、土砂排出端（１８）の管壁に複数の土砂水流排出孔（１７）を設け、土砂排出端（１８）を回動させて、土砂排出端（１８）の管壁に設けられた複数の土砂水流排出孔（１７）の周方向位置を変化させることにより、土砂水流排出端（１８）での排出土砂（１９）の排出量を調整するようにしたので、水底堆積土砂（２）の除去を効率的に行うことができる、という利点がある。また、水底堆積土砂（２）中の土砂移送管（３）の内部には、水底堆積土砂（２）が連続的に流入するため、土砂除去効果が継続的に発揮される、という利点がある。また、最初は、土砂移送管（３）を水底堆積土砂（２）中に設置する工事が必要であるが、それ以外には特別な労力や装置は不要であり、従来の浚渫に比べて費用が低廉である、という利点がある。また、最初に土砂移送管（３）を水底堆積土砂（２）中に設置した後は、船舶航行への支障はない。また、水底面上の設置物がないため、底引き網漁業への障害や、船舶のアンカー（錨）による破損のおそれも少ない、という利点がある。また、水底面の下方の土砂移送管（３）の内部を土砂が流動するため、水の汚濁の発生は最小限に抑えられる、という利点がある。また、土砂移送管（３）の内部圧力は、土砂移送管（３）の一端に連通する取水口（７等）が水中で開放されていることから、土砂流入孔（４）から水面までの水圧以上の水圧はかからず、土砂流入孔（４）の外側の圧力は当該水圧よりも大きいため、土砂移送管（３）内の土砂水流（１６）が土砂流入孔（４）から管外に流出（逆流）して汚濁を発生させるおそれはない、という利点がある。
【００６２】
また、水底土砂除去装置に土砂流入量調整機構を設けることにより、取水口（７等）を通じて流入する水の量に対して、土砂流入孔（４）を通じて流入する土砂の割合(含泥率)を調整することができるので、土砂の逆流の発生に起因する汚濁や、土砂移送管（３）内の水量不足による土砂移送管（３）内での土砂の堆積に起因する閉塞（目詰まり）等の防止が可能となる、という利点がある。
【図面の簡単な説明】
【図１】本発明の一実施形態である水底土砂除去装置の構成を示す図である。
【図２】図１の水底土砂除去装置に設けられる土砂流入量調整機構の一例の構成を示す図である。
【図３】図１の水底土砂除去装置に設けられる土砂流入量調整機構の他の例の構成を示す図である。
【図４】図１の水底土砂除去装置における取水口の一例の構成を示す図である。
【図５】図１の水底土砂除去装置における取水口の他の例の構成を示す図である。
【図６】図１の水底土砂除去装置における土砂排出端の一例の構成を示す図である。
【符号の説明】
１  水底土砂除去装置
２  海底堆積土砂
３  土砂移送管水平部
４  土砂流入孔
５  移送用水
６  吸引ポンプ
７、７Ａ  取水口
８  土砂移送管立設部
９  弁
１０  金網
１１  重錘
１２  ワイヤ
１３  逆止弁
１４  尾翼
１５  水面
１６  土砂水流
１７  土砂水流排出孔
１８  土砂排出端
１９  排出土砂
２０  堆積土砂
７１  下端
８１  上端
Ｆ    水流
【図１】
0003716311.tif 000002
【図２】
0003716311.tif 000003
【図３】
0003716311.tif 000004
【図４】
0003716311.tif 000005
【図５】
0003716311.tif 000006
【図６】
0003716311.tif 000007